(57)【要約】【課題】この発明は、光学素子からの戻り光が発生しても、光源装置内に配置された該高圧水銀放電ランプが異常に加熱されることのない光源装置、及び表示装置を提供することにある。【解決手段】対向配置する一対の電極を備えた放電空間内に発光物質を封入した放電容器と、該放電容器から突出する一対の封止部とから成る高圧水銀放電ランプと、該高圧水銀放電ランプを内包すると共に該高圧水銀放電ランプから放射される光を反射する反射鏡と、該反射鏡の開口側に配置された前面ガラスと、から成る光源装置において、該前面ガラス近傍に戻り光を吸収し熱に変換する戻り光吸収部材を設けたことを特徴とする光源装置。【選択図】    図１
2005332701.tif 000002
【特許請求の範囲】
【請求項１】
対向配置する一対の電極を備えた放電空間内に発光物質を封入した放電容器と、該放電容器から突出する一対の封止部とから成る高圧水銀放電ランプと、該高圧水銀放電ランプを内包すると共に該高圧水銀放電ランプから放射される光を反射する反射鏡と、該反射鏡の開口側に配置された前面ガラスと、から成る光源装置において、
該前面ガラス近傍に戻り光を吸収し熱に変換する戻り光吸収部材を設けたことを特徴とする光源装置。
【請求項２】
前記戻り光吸収部材に放熱用のフィンを設けたことを特徴とする請求項１に記載の光源装置。
【請求項３】
前記戻り光吸収部材は、該戻り光吸収部材の表面に、該戻り光に対する拡散機能、及び／または吸収機能を備えていることを特徴とする請求項１乃至請求項２に記載の光源装置。
【請求項４】
前記反射鏡は、熱伝導性の良い金属で構成されていることを特徴とする請求項１乃至請求項３に記載の光源装置。
【請求項５】
前記反射鏡の開口側に配置された該高圧水銀放電ランプの一方の封止部から突出する外部リード棒に放熱板を設けたことを特徴とする請求項１乃至請求項４に記載の光源装置。
【請求項６】
前記放熱板が、柔軟性のある材料で構成されていることを特徴とする請求項５に記載の光源装置。
【請求項７】
対向配置する一対の電極を備えた放電空間内に発光物質を封入した放電容器と、該放電容器から突出する一対の封止部とから成る高圧水銀放電ランプと、該高圧水銀放電ランプを内包すると共に該高圧水銀放電ランプから放射される光を反射する反射鏡と、該反射鏡の開口側に配置された前面ガラスと、から成る光源装置から放射される光が、光学素子部を透過し、空間変調素子を介して投射される表示装置において、
該光学素子部、及び／または空間変調素子から該光源装置への戻り光を吸収し熱に変換する戻り光吸収部材を該光学装置の前面ガラス近傍に設けたことを特徴とする表示装置。
【発明の詳細な説明】
【技術分野】
【０００１】
この発明はプロジェクタ装置に利用される光源装置に関する。特に、対向配置する一対の電極を備えた放電空間内に水銀、希ガス、及びハロゲン等が封入されたショートアーク型放電ランプを具備すると共に前面ガラスが設けられた光源装置、及び該光源装置を配置した表示装置に関する。
【背景技術】
【０００２】
従来から液晶プロジェクタ等の映像投影型表示装置においては、凹面反射鏡内に高圧水銀放電ランプを配置した光源装置が用いられている。該光源装置には、例えば石英ガラスで構成された回転楕円体形状の凹面反射鏡に誘電体多層膜からなる反射層を設けた反射鏡が多く使用されている。また、該反射鏡内には、対向配置した一対の電極を備えた放電空間内に発光物質として水銀、希ガス、ハロゲン等を封入したショートアーク型の高圧水銀放電ランプが配置されている。このような光源装置は、最近の液晶プロジェクタ、特にモバイルタイプの普及と更なる小型軽量化、高性能化の要求に伴い、該光源装置自身も小型で且つ高輝度のものが求められている。
【０００３】
一方、該光源装置内に配置された該高圧水銀放電ランプは、点灯時に該放電空間内に封入された水銀を充分に蒸発させる必要があり、該放電容器全体は非常に高温になる。また、該放電空間から突出する封止部も該放電空間の温度に伴い高温になる。該封止部内には一対の対向配置する電極に給電するためのＭｏ等からなる金属箔と該金属箔に連接する外部リードが設けられており、該封止部の温度が高くなりすぎるとそれらの金属部が酸化等により腐食され不具合が発生する。このため、従来から該光源装置の反射鏡側面や前面ガラス等に空孔を設け、該空孔を利用して該高圧水銀放電ランプに冷却風を送風し冷却している。例えば、特許第３１８３２１３号公報には該反射鏡の前面ガラスに空孔を設け、該空孔から該高圧水銀放電ランプの封止部を突出させることにより、該封止部を部分的に自然空冷、または強制空冷を施し冷却することが記載されている。また、例えば、特許第３３８１５６６号公報によれば、該反射鏡開口側の側面に空孔を設けると伴に該反射鏡の首部に排風用の孔を設け、該反射鏡の開口側から該反射鏡の首部方向に空気の流れを作ることで、該封止部を冷却する構造が開示されている。
【０００４】
図６に従来の光源装置の概略図を示す。光源装置５０は、反射鏡５１と、該反射鏡５１内に配置された放電ランプ５２と、該反射鏡５１の前面開口部を覆うように配置された前面ガラス５３と、から成っている。また、該放電ランプ５２は、放電容器５４と、該放電容器５４内に対向配置された一対の電極５５と、該放電容器５４から突出する封止部５６、該封止部５６内に封止され該電極５５に連接する金属箔５７、該金属箔５７の他端に溶接された外部リード棒５８、から構成されており、該放電ランプ５２はベース部５９に接着材６０を介して接続されている。該ベース部５９には冷却風排出用孔６１が設けられている。また、該反射鏡５１には、冷却風を取り込む空孔６２が設けられており、図６中の矢印で表したように、該空孔６２から流入した冷却風が該放電ランプ５２の外部リード棒５８等を冷却し、最終的に該冷却封排出用孔６１から排出される。
【０００５】
しかしながら、該光源装置の該前面ガラスに空孔を設けて、該前面ガラスより該高圧水銀放電ランプの封止部を突出させ冷却する場合では、万一、ランプが破損等起こせば該封止部が脱落したり、該高圧水銀放電ランプの構成物が該前面ガラスの空孔からこぼれ落ちる等の不具合が予想される。また、該反射鏡側面に冷却風取り込み用に空孔を設けた場合であっても、該高圧水銀放電ランプの構成物が該光源装置外にこぼれ落ちるといった問題がある。
【０００６】
そこで、該反射鏡に空孔を設けなければ、かかる問題を解決することができるが、その反面、該反射鏡に空孔を設けなければ該反射鏡内に配置された該高圧水銀放電ランプの封止部等が非常に高温になり、早期の照度劣化や短寿命、更には破損等にいたるといった問題が発生する。そこで、該反射鏡に空孔を持たない、いわゆる密閉タイプの該光源装置において、該封止部等高温になる部分を冷却する方法が提案されている。
【０００７】
例えば特開２００１−２２２９７６号公報によれば、該反射鏡内に冷却風を導入しない場合の該光源装置について記載されている。該公報によれば、該反射鏡内に配置された該高圧水銀放電ランプの封止部を冷却するために、該封止部の一部を該前面ガラスから突出、または一体化させ、反射鏡前面に冷却風を吹きつけ冷却することが記載されている。更には、該封止部に、銅板等から成る熱伝導率の高い材料を該封止部ほぼ全長にわたって巻きつけた吸収部材と、該吸収部材が該反射鏡を貫通して外部へ熱を導く導熱部と、導かれた熱を放熱する放熱部により、該封止部を冷却することが開示されている。
【特許文献１】特許第３１８３２１３号
【特許文献２】特許第３３８１５６６号
【特許文献３】特開２００１−２２２９７６号
【発明の開示】
【発明が解決しようとする課題】
【０００８】
しかしながら、該光源装置単体では該封止部等の温度を低減させることができても、実際の液晶プロジェクター等の表示装置に組み込み、点灯試験を行うと、該反射鏡の開口側に位置する封止部や外部リード、該外部リードに溶接された給電部等が異常に加熱されるといった問題が発生した。特に、デジタル・ミラー・デバイス（ＤＭＤ：テキサス・インスツルメンツ社の登録商標）や反射型液晶を用いた表示装置等、該光源装置からの光を集光させるタイプの表示装置においては、該封止部等が異常に加熱される割合が顕著であった。更には、該加熱が原因となり外部リード部と給電線との間の溶接部が断線するといった問題もあった。
【０００９】
そこで、この発明が解決しようとする課題は、光源装置内に配置された該高圧水銀放電ランプが異常に加熱されることのない光源装置を提供することにある。特に、該光源装置から放射される光を集光させるタイプの表示装置における該光源装置内に配置された該高圧水銀放電ランプの該封止部等が異常に加熱されることのない光源装置を提供することにある。
【課題を解決するための手段】
【００１０】
該光源装置の異常な加熱について、詳細に調べた結果、該封止部の異常な加熱は、該光源装置から放射された光が、該表示装置の光学素子等に反射され、該光源装置に再入射する戻り光が発生することがその主たる原因であることをつきとめた。特に、該表示装置が集光タイプである場合には、該表示装置側の光学素子等に反射される光の経路が、該封止部に集光されるためであることが判った。この戻り光により、該光源装置のリフレクタ開口側に配置された該封止部の外部リードとモリブデン（Ｍｏ）箔が加熱され酸化することで、最終的には断線にいたるといった不具合を生じていた。
【００１１】
そこで、本発明の光源装置は、対向配置する一対の電極を備えた放電空間内に発光物質を封入した放電容器と、該放電容器から突出する一対の封止部とから成る高圧水銀放電ランプと、該高圧水銀放電ランプを内包すると共に該高圧水銀放電ランプから放射される光を反射する反射鏡と、該反射鏡の開口側に配置された前面ガラスと、から成る光源装置において、該前面ガラス近傍に戻り光を吸収し熱に変換する戻り光吸収部材を設けたことを特徴とする。該戻り光吸収部材は、例えばアルミニュウムや銅といった材料で構成されている。また、該戻り光吸収部材は戻り光を吸収することで熱に変換し外部へ排出している。更には、該戻り光吸収部材の表面状態を例えば荒れた面にする等適宜選択することで該戻り光の一部を拡散させることにより該光源装置に戻る光を低減することもできる。尚、本発明において前面ガラス近傍とは、該前面ガラス上も含んだ該前面ガラスの周辺を意味しており、反射鏡外部のみならず該反射鏡内部であっても良い。
【００１２】
また、該戻り光吸収部材に放熱用のフィンを設けたことを特徴とする。該戻り光吸収部材に入射した光が熱に変換され、該フィンから外部に効率的に排出される。
【００１３】
更には、該戻り光吸収部材は、該戻り光吸収部材の表面に、該戻り光に対する拡散機能、及び／または吸収機能を備えていることを特徴とする。尚、該拡散機能、及び／または吸収機能とは、該戻り光を吸収するために黒色等の色を付ける、または、該光吸収部材の表面が粗面であり、該戻り光を拡散するように微小な凹凸を持つ拡散面等種々の形態をとることができる。
【００１４】
また、前記反射鏡は、熱伝導性の良い金属で構成されていることを特徴とする。尚、本発明における熱伝導性の良い金属とは、高い耐熱性を持つと共に、熱伝導率が高い材料であって、例えばアルミニウム、銅、マグネシウム、又はそれら金属の少なくとも１つを含む合金等を意味する。
【００１５】
また、該反射鏡の開口側に配置された該高圧水銀放電ランプの一方の封止部から突出する外部リード棒に放熱板を設けたことを特徴とする。
【００１６】
また、該放熱板が、柔軟性のある材料で構成されていることを特徴とする。
【００１７】
また、本発明の表示装置は、対向配置する一対の電極を備えた放電空間内に発光物質を封入した放電容器と、該放電容器から突出する一対の封止部とから成る高圧水銀放電ランプと、該高圧水銀放電ランプを内包すると共に該高圧水銀放電ランプから放射される光を反射する反射鏡と、該反射鏡の開口側に配置された前面ガラスと、から成る光源装置から放射される光が、光学素子部を透過し、空間変調素子を介して投射される表示装置において、該光学素子部、及び／または空間変調素子から該光源装置への戻り光を吸収し熱に変換する戻り光吸収部材を該光学装置の前面ガラス近傍に設けたことを特徴とする。
【発明の効果】
【００１８】
本発明の請求項１に記載の発明によれば、該光源装置の反射鏡から一旦放射された光が再び該反射鏡内に戻る場合に、該戻り光を吸収して熱に変換する戻り光吸収部材の作用により、該戻り光が該高圧水銀放電ランプの封止部や、外部リード棒と給電部との溶接部等を加熱することがない。また、該戻り光吸収部材は、例えばアルミニウムや銅といった材料で構成されている。該戻り光吸収部材は、１）戻り光を吸収し熱に変換し外部に放熱する、２）戻り光を吸収し熱に変換し該光源装置に伝導させることにより放熱する、３）該戻り光吸収部材の表面状態を例えば荒れた面にする等適宜選択することにより戻り光の一部を拡散させ、該戻り光吸収部材へ入射する光量を低減する、といった機能を持つ。これにより戻り光による該封止部の温度上昇が妨げられ、該封止部内の金属部材等が酸化するといった不具合が解消される、といった利点がある。
【００１９】
また、本発明の請求項２に記載の発明に該戻り光吸収部材に設けられた放熱用フィンにより、該光源装置に再び戻された光を熱に変換する該戻り光吸収部材自身を冷却することが容易に行えるといった利点がある。
【００２０】
また、本発明の請求項３に記載の発明によれば、該戻り光吸収部材の表面に拡散機能や吸収機能を備えているので、該封止部への戻り光による加熱を抑制する効果に加えて、該戻り光吸収部材自身が過剰に加熱することを防ぐことができるといった利点がある。
【００２１】
本発明の請求項４に記載の発明によれば、該反射鏡を熱伝導性の良い金属で構成しているので、戻り光吸収部材が戻り光を吸収することで発生した熱を効率良く排熱できるといった利点がある。ここで金属で構成されている反射鏡の基体部分に熱伝導性の良い材料を用い、該基体の反射面側には、例えば誘電体多層膜等からなる可視光反射部材が設けられている。尚、本発明において熱伝導性の良い金属とは、アルミニウム、銅、マグネシウム、又はそれら金属の少なくとも１つを含む合金等を意味する。これらの金属は、高い耐熱性を持つと共に、熱伝導率が高い材料である。
【００２２】
また、本発明の請求項５に記載の発明によれば、該高圧水銀放電ランプの一方の封止部から突出する外部リード棒に放熱板を設けたことで、放電容器からの伝導や輻射により加熱される外部リード棒の温度を低くし、封止部に配置された金属材料の酸化等の不具合を低減できるといった利点がある。
【００２３】
また、本発明の請求項６に記載の発明によれば、前述した放熱板が柔軟性の有る材料で構成されているので、該高圧水銀放電ランプの点灯時と消灯時に生じる熱膨張による応力を充分吸収できるので、該高圧水銀放電ランプや該反射鏡に負荷を掛けることがないため、それらのものが破損等することが無いといった利点がある。
【００２４】
また、本発明の請求項７に記載の発明によれば、光源装置から放射された光が、表示装置に配置された光学素子等により反射され、再び該光源装置に入射した戻り光によって該高圧水銀放電ランプの封止部等が加熱されることを防止できるので、該表示装置に設けられた光源装置内の該高圧水銀放電ランプの加熱による不具合を抑制でき、安定した寿命を実現できるといった利点がある。
【発明を実施するための最良の形態】
【００２５】
本発明の光源装置は、表示装置の光学素子等を透過することなく該光学素子等の表面で反射された光が、戻り光として該反射鏡内に配置された該高圧水銀放電ランプに集光するのを妨げるために、該反射鏡の前面ガラス、又はその近傍に該戻り光を吸収し熱として外部に放出するための戻り光吸収部材を設けたものである。以下に図面を用いて具体的な実施例を説明する。
【実施例１】
【００２６】
本発明の第１の実施例を図１に基づいて説明する。図１は、本発明の表示装置１６を説明する概略図である。該表示装置１６には、光源装置１５、該光源装置１５から放射される光を色成分に分解する回転型のカラーフィルタ１１、該カラーフィルタ１１を透過した光が入射する光学系１２から成っている。尚、図１には示さないが、該光学系１２には、例えば該カラーフィルタ１２を透過した光を均一にするロッドレンズ、液晶素子やＤＭＤ等によって構成される映像信号生成用の反射型空間変調素子、該空間変調素子で構成された画像信号をスクリーン等の表示板に投射する投射レンズ、等が含まれている。また、該表示装置１６内に配置される該光源装置１５には、高圧水銀放電ランプ５と、該高圧水銀放電ランプ５を内包する反射鏡８と、該反射鏡８の首部８ａに接着され該高圧水銀放電ランプ５を固持するベース部７と、該反射鏡８の開口部８ｂ側を覆うように設けられた前面ガラス９と、該前面ガラス９に配置された戻り光吸収部材１０と、から成っている。該戻り光吸収部材１０は、例えばアルミニュウムや銅といった材料で構成されている。また、該高圧水銀放電ランプ５は、対向配置された一対の電極１を放電空間２内に備えた放電容器３、該放電容器３の両端に突出する封止部４、を持ち、該封止部４には該電極１に電気的に接続されたＭｏ等からなる金属箔６ａ、該金属箔６ａに溶接された外部リード棒６ｂによって構成されている。該戻り光吸収部材１０は、該高圧水銀放電ランプ５の金属箔６ａや外部リード棒６ｂに戻り光が入射しない様に、それらの部分が影になるための充分な大きさを持っている。本実施例では、例えば該前面ガラス９の直径がΦ７０ｍｍに対して直径Φ７ｍｍのアルミニウム板を配置している。
【００２７】
図１における矢印は、該高圧水銀放電ランプ５から放射された光の経路を表しており、具体的には、該高圧水銀放電ランプ５から放射し、反射鏡８で反射され、カラーフィルタ１１を透過し、光学系１２に入射することを示したものである。ここにおいて、該光源装置１５から放射された光の一部は、カラーフィルタ１１や光学素子１２を透過することなく、例えばカラーフィルタ１１から戻り光経路ｒ（破線矢印）のように該光源装置１５側に戻り光として反射される。該戻り光は、戻り光吸収部材１０によって吸収され、熱に変換され排出されるので、該光源装置１５に内包する該高圧水銀放電ランプ５、特に該外部リード部６ｂや金属箔６ａへの該戻り光による異常な加熱が抑制される。また、該戻り光吸収部材１０の戻り光入射側には細かなフィン１７が設けられているので、戻り光が該戻り光吸収部材１０に吸収され、熱に変換された後、該フィンにより効率的に外部に排出される。更には、該戻り光吸収部材１０の表面を荒れた面にすれば、該戻り光を拡散させることができ、該光源装置に戻る光を低減できる。また、該戻り光吸収部材１０の表面に、黒色系の色を付ければ、戻り光の吸収効率を高め、熱への変換効率を高めることができる。尚、本実施例においては、戻り光を吸収し熱に変換された後は、外部に送風される冷却風等により冷却しているが、該光源装置側に伝導を利用して発生した熱を伝え、該光源装置全体を冷却することもできる。
【実施例２】
【００２８】
図２は、本発明の光源装置における第２の実施例を示す概略断面図である。該光源装置４７は、実施例１に示した光源装置１６において、戻り光吸収材１０を反射鏡９内に設けたものである。光源装置４７から放射された光の一部は、カラーフィルタ１１や光学素子１２等を透過することなく、該光源装置４７側に戻り光として反射される。該戻り光は、前面ガラス２５を透過し、反射鏡２３内部に配置された戻り光吸収部材４８によって吸収され、熱に変換される。該戻り光吸収部材４８には、該戻り光吸収材４８を保持固定する固定棒４９が設けられており、該固定棒４９の一方の端は該反射鏡２３の開口部２３ａ側に設けられた前面ガラス保持用カバー２４に接続されている。該戻り光吸収部材４８に発生した熱は、該固定棒４９を介して該前面ガラス保持用カバー２４に伝えられ、外部に排出される。これにより、該高圧水銀放電ランプ２２の外部リード棒２９の温度を上昇させることなく熱を放散させることができる。該戻り光吸収部材４８は、例えばアルミニュウムや銅といった材料で構成されている。また、該戻り光吸収部材２６の表面に、黒色系の色を付ければ、戻り光の吸収効率を高め、熱への変換効率を高めることができる。本実施例の場合では、該戻り光吸収部材２６が反射鏡２３内に配置されているので、該戻り光吸収部材２６の表面を拡散面にするより、吸収率を高めるために黒色系の色を付けるほうが望ましい。尚、本実施例においては、反射鏡２３や前面ガラス保持用カバー２４をアルミニウム等の金属で構成している。
【実施例３】
【００２９】
図３は本発明の光源装置における第３の実施例を示す概略断面図である。該光源装置２１は、高圧水銀放電ランプ２２と、該高圧水銀放電ランプ２２を内包する反射鏡２３と、該反射鏡２３の開口部２３ａ側に設けられた前面ガラス保持用カバー２４と、該前面ガラス保持用カバー２４に保持された前面ガラス２５と、該前面ガラスの中央付近に設けられた戻り光吸収部材２６と、から構成されている。また、該高圧水銀放電ランプ２２は、放電容器２７、該放電容器２７から突出する封止部２８、該封止部２８に埋設された外部リード棒２９からなり、該外部リード棒２９には電力供給線３０が接続されている。本実施例では該反射鏡２３は熱伝導性の良い金属から成り、例えばアルミニウム等で形成されており、該反射鏡２３の首部３１側に放熱フィン３２が設けられている。また、該電力供給線３０は該反射鏡２３に絶縁材３３を貫通する給電ピン３４に接続されている。更に、該封止部２８に埋設された外部リード棒２９には放熱板３５が接続され、該外部リード棒２９の熱を効率的に排出している。また、該前面ガラス２５に設けられた戻り光吸収部材２６には戻り光の入射側に細かい放熱用のフィン３６が形成されており、該戻り光吸収部材２６で吸収された光が熱に変換され、該フィン３６から効率的に排出される。該戻り光吸収部材２６は、例えばアルミニュウムや銅といった材料で構成されている。また、該戻り光吸収部材２６の表面を荒れた面にすれば、該戻り光を拡散させることができ、該光源装置に戻る光を低減できる。また、該戻り光吸収部材２６の表面に、黒色系の色を付ければ、戻り光の吸収効率を高め、熱への変換効率を高めることができる。
【実施例４】
【００３０】
図４は本発明の光源装置における第４の実施例を示す概略断面図である。該光源装置４０は、反射鏡２３内に配置された高圧水銀放電ランプ２２の外部リード棒２９に接続された放熱板４１が、前面ガラス２５を貫通して設けられ、該放熱板４１の先端には放熱器４２に接続されている。該放熱器４２は、例えば放熱用のフィンが設けられている。また、該放熱器４２の前面には、側面方向（図４の上側方向）に冷却風を通過させるための穴が設けられた戻り光吸収部材２６が設けられ、該戻り光吸収部材２６が該放熱器４２に入射する戻り光を遮蔽しているので、該戻り光によって該放熱器４２が逆に加熱されることがない。ここにおいて、該高圧水銀放電ランプ２２の外部リード棒２９は、該高圧水銀放電ランプ２２から伝導される熱のために、非常に高温になるが、例えば、該光源装置４０の前面ガラス側に冷却風を送風することで該戻り光吸収部材２６や、放熱器４２を効率的に冷却することができ、該外部リード棒２９等が以上に加熱されることを防止している。また、該放熱板４１は柔軟性のある材料で構成されているので、該高圧水銀放電ランプ２２の点灯時に該高圧水銀放電ランプ２２が熱膨張しても、該封止部２８や外部リード棒２９等に余分な応力をかけることがないので該高圧水銀放電ランプ２２が破損することがない。
【実施例５】
【００３１】
図５は本発明の光源装置における第５の実施例を示す概略断面図である。該光源装置４５は、反射鏡２３の開口側に設けられた前面ガラス保持用カバー２４に放熱フィン４６を設けた場合である。該放熱フィン４６を設けることで、該戻り光吸収部材２６や該高圧水銀放電ランプ２２の外部リード棒２９に接続された放熱板３５から伝導される熱を効率的に排出できる。
【図面の簡単な説明】
【００３２】
【図１】この発明の表示装置における光の経路を示す説明用概略図。
【図２】この発明の光源装置の第２の実施例を示す説明用断面図。
【図３】この発明の光源装置の第３の実施例を示す説明用断面図。
【図４】この発明の光源装置の第４の実施例を示す説明用断面図。
【図５】この発明の光源装置の第５の実施例を示す説明用断面図。
【図６】従来の光源装置の概略を示す説明用断面図。
【符号の説明】
【００３３】
１      電極
２      放電空間
３      放電容器
４      封止部
５      高圧水銀放電ランプ
６ａ    金属箔
６ｂ    外部リード棒
７      ベース部
８      反射鏡
９      前面ガラス
１０    戻り光吸収部材
１１    カラーフィルタ
１２    光学系
１５    光源装置
１６    表示装置
１７    フィン
ｒ      戻り光経路
２１    光源装置
２２    高圧水銀放電ランプ
２３    反射鏡
２３ａ  開口部
２４    前面ガラス保持用カバー
２５    前面ガラス
２６    戻り光吸収部材
２７    放電容器
２８    封止部
２９    外部リード棒
３０    電力供給線
３１    首部
３２    放熱フィン
３３    絶縁材
３４    給電ピン
３５    放熱板
３６    フィン
４０    光源装置
４１    放熱板
４２    放熱器
４５    光源装置
４６    放熱フィン
４７    光源装置
４８    戻り光吸収部材
４９    固定棒
５０    光源装置
５１    反射鏡
５２    放電ランプ
５３    前面ガラス
５４    放電容器
５５    電極
５６    封止部
５７    金属箔
５８    外部リード棒
５９    ベース部
６０    接着材
６１    冷却封排出用孔
６２    空孔
【図１】
2005332701.tif 000003
【図２】
2005332701.tif 000004
【図３】
2005332701.tif 000005
【図４】
2005332701.tif 000006
【図５】
2005332701.tif 000007
【図６】
2005332701.tif 000008